(57)【要約】【課題】ＤＭＤ表示部からのオフ光を検出することによって輝度やホワイトバランスの変化に対し自動的に補正を行った場合にも、検出値の変動の少ないプロジェクタの光学ユニットを提供する。【解決手段】ＤＭＤ表示部１６を備えたプロジェクタ１の光学ユニット１０におけるオフ光検出において、離散して分布している光束を光検出素子２２へ集光させるオフ光集光レンズ２１を設けることによって、光検出素子２２に照射される光の強度むらが低減し、検出の精度が向上し、安定した全白の輝度補正が実現でき、また同時に、１箇所の位置にある光検出素子２２でＲ・Ｇ・Ｂ単色ごとに検出を行っても、各色の検出比率を一定に保つことができるので、ホワイトバランスの補正も可能となる。【選択図】図１
2007298798.tif 000002
【特許請求の範囲】
【請求項１】
ＤＭＤ表示部を搭載し、該ＤＭＤ表示部で形成された画像情報を、投写レンズを経由して投写するプロジェクタの光学ユニットにおいて、
光源部と、
前記ＤＭＤ表示部と、
入力した映像信号により、前記ＤＭＤ表示部を構成する複数のミラーエレメントのそれぞれの角度を、反射光が前記投写レンズに入射するオンの状態と入射しないオフの状態とに切り替わるように駆動するＤＭＤ駆動部と、
前記ＤＭＤ表示部のミラーエレメントがオフの状態のときに、該ミラーエレメントが反射するオフ光の照射位置に設けられた光検出素子と、
前記ＤＭＤ表示部と前記光検出素子との間に設けられて、前記オフ光を広い範囲から該光検出素子に入射させる集光手段と、
前記光検出素子の出力と予め設定された初期値との比較演算を行って差異を補正するための補正値を算出する比較演算部と、
前記補正値に基づいて前記ＤＭＤ駆動部の出力を補正する補正部と、を備えたことを特徴とするプロジェクタ装置の光学ユニット。
【請求項２】
ＤＭＤ表示部を搭載し、該ＤＭＤ表示部で形成された画像情報を、投写レンズを経由して投写するプロジェクタの光学ユニットにおいて、
光量が電圧制御可能に構成された光源部と、
前記光源部の光量を制御する光源駆動部と、
前記ＤＭＤ表示部と、
前記ＤＭＤ表示部のミラーエレメントがオフの状態のときに、該ミラーエレメントが反射するオフ光の照射位置に設けられた光検出素子と、
前記ＤＭＤ表示部と前記光検出素子との間に設けられて、前記オフ光を広い範囲から該光検出素子に入射させる集光手段と、
前記光検出素子の出力と予め設定された初期値との比較演算を行って差異を補正するための補正値を算出する比較演算部と、
前記補正値に基づいて前記光源駆動部の電圧を補正する補正部と、を備えたことを特徴とするプロジェクタ装置の光学ユニット。
【請求項３】
ＤＭＤ表示部を搭載し、該ＤＭＤ表示部で形成された画像情報を、投写レンズを経由して投写するプロジェクタの光学ユニットにおいて、
光量が電圧制御可能に構成された光源部と、
前記光源部の光量を制御する光源駆動部と、
前記ＤＭＤ表示部と、
入力した映像信号により、前記ＤＭＤ表示部を構成する複数のミラーミラーエレメントのそれぞれの角度を、反射光が前記投写レンズに入射するオンの状態と入射しないオフの状態とに切り替わるように駆動するＤＭＤ駆動部と、
前記ＤＭＤ表示部のミラーエレメントがオフの状態のときに、該ミラーエレメントが反射するオフ光の照射位置に設けられた光検出素子と、
前記ＤＭＤ表示部と前記光検出素子との間に設けられて、前記オフ光を広い範囲から該光検出素子に入射させる集光手段と、
前記光検出素子の出力と予め設定された初期値との比較演算を行って差異を補正するための補正値を算出する比較演算部と、
前記補正値に基づいて前記光源駆動部の電圧と前記ＤＭＤ駆動部の出力とを補正する補正部と、を備えたことを特徴とするプロジェクタ装置の光学ユニット。
【請求項４】
前記集光手段が、前記オフ光を該光検出素子に集光するオフ光集光レンズである、請求項１から請求項３のいずれか１項に記載のプロジェクタの光学ユニット。
【請求項５】
前記ＤＭＤ表示部と前記オフ光集光レンズとの間に減光フィルタが設けられている、請求項４に記載のプロジェクタの光学ユニット。
【請求項６】
前記オフ光集光レンズと前記減光フィルタとを冷却する冷却ファンが設けられている、請求項５に記載のプロジェクタの光学ユニット。
【請求項７】
前記集光手段が、前記オフ光を拡散させて前記光検出素子に入射させる拡散板である、請求項１から請求項３のいずれか１項に記載のプロジェクタの光学ユニット。
【請求項８】
ＤＭＤチップを複数個使用した、請求項１から請求項７のいずれか１項に記載のプロジェクタの光学ユニット。
【請求項９】
前記プロジェクタの光学ユニットは、
光源と、
反射鏡と、
前記反射鏡からの光を複数の色に時分割するカラーホイールと、
前記カラーホイールからの光を入射端面で受け、輝度分布を均一化した光を出射する四角柱のロッドインテグレータと、
ＤＭＤ表示部と、
前記ロッドインテグレータからの出射光を前記ＤＭＤ表示部に集光するためのレンズと、
前記ＤＭＤ表示部によって反射された画像を投写するための投写レンズと、を有する請求項１から請求項８のいずれか１項に記載のプロジェクタの光学ユニット。
【請求項１０】
請求項１から請求項９のいずれか１項に記載のプロジェクタの光学ユニットを備えたことを特徴とするプロジェクタ。
【発明の詳細な説明】
【技術分野】
【０００１】
本発明はプロジェクタの光学ユニットとプロジェクタに関し、特にＤＭＤ表示部を搭載し、ＤＭＤからのオフ光を用いてＤＭＤ駆動部の出力の補正を行うプロジェクタの光学ユニットに関する。
【背景技術】
【０００２】
従来、反射型光変調素子を用いたＤＭＤ表示部を有するプロジェクタにおいて、光源やカラーホイール等の経時劣化、またはこれらの交換の際に発生する輝度やホワイトバランスの変化を、ＤＭＤ表示部からのオフ光を検出することで常時検出を行い、自動的に補正を行っていることが多い。この場合、光検出素子が実際の画面光であるオン光に干渉しないので、投射画面に影響することがない。
【０００３】
特許文献１には、ＤＭＤ表示部を用いたプロジェクタにおいて、ミラーエレメントがオフの状態のときにその反射光が入射される位置に設けられた光センサと、映像信号と光センサにより得られた電圧とを入力してＤＭＤ駆動部に対して補正された映像信号を出力する補正部とを備え、補正部はＤＭＤパネルの各ミラーエレメントを一定の状態にしたときの光センサの出力により、カラーホイールを構成する各フィルタを通った光の相対的な強度を求めて映像信号の各色に対する輝度信号を補正して駆動部に出力し、駆動部は補正された映像信号およびカラーホイールの回転状態に応じてＤＭＤパネルの各ミラーエレメントの傾き状態を制御するＤＭＤプロジェクタとその映像信号補正方法が開示されている。
【０００４】
特許文献２には、複数のミラーエレメントを備えるＤＭＤパネルと、ＤＭＤパネルに対してミラーエレメントの傾き状態を制御する諧調信号を出力する映像制御装置とを備えるＤＭＤ表示部を用いたプロジェクタにおいて、光源はその光量が電圧制御可能に構成され、ミラーエレメントがオフの状態のときにその反射光が入射される位置に設けられた光センサと、所定の基準電圧を発生する基準電圧源と、基準電圧源が発生した基準電圧と光センサにより得られた電圧とを比較し、これらが一致するように電源の光量を制御する電圧を制御して、常に一定の明るさで映像が投射されるＤＭＤ表示部を用いたプロジェクタとその光量制御方法が開示されている。
【特許文献１】特開２００３−２７９８８７号公報
【特許文献２】特開２００３−２８００９０号公報
【発明の開示】
【発明が解決しようとする課題】
【０００５】
しかしながら、ＤＭＤ表示部のオフ光は、ＤＭＤ表示部から一定距離離れると各々の光束が離散して分布してしまうために、光検出素子に照射される光は光源ランプの光束の一部に限られ、光検出素子の配置された位置により検出値自体が変動してしまうのと同時に、光検出素子に入力する光全体の中の一部の変動により検出値が変動する。そうした変動の一因としては、光源のアーク像が経時変化により大きくなることも挙げられる。
【０００６】
その結果、その検出値から演算して輝度の補正を行っても、実際の画面輝度の経時変化に対応した補正量とはならないという問題がある。
【０００７】
さらにＤＭＤ表示部からのオフ光は、離散して分布するばかりでなく、例えば、回折などにより色の分布も生じることがある。よって、光検出素子の配置によっては、各色の光検出値が素子や回路のダイナミックレンジに収まらず、結果としてホワイトバランスの補正の精度が低下するという問題もある。
以上はＤＭＤを１つだけ用いたプロジェクタに関する問題であるが、３チップＤＭＤプロジェクタのように複数のＤＭＤチップを使用するプロジェクタにおいては、各々のＤＭＤチップに関して上述した問題が個々に生じるのでこの問題はより顕著になる。
【０００８】
本発明の目的は、ＤＭＤ表示部からのオフ光を検出することによって輝度やホワイトバランスの変化に対し自動的に補正を行った場合にも、検出値の変動の少ないプロジェクタの光学ユニットを提供することにある。
【課題を解決するための手段】
【０００９】
本発明のプロジェクタの光学ユニットは、
ＤＭＤ表示部を搭載し、そのＤＭＤ表示部で形成された画像情報を、投写レンズを経由して投写するプロジェクタの光学ユニットにおいて、第１の態様では、光源部と、ＤＭＤ表示部と、入力した映像信号により、ＤＭＤ表示部を構成する複数のミラーエレメントのそれぞれの角度を、反射光が投写レンズに入射するオンの状態と入射しないオフの状態とに切り替わるように駆動するＤＭＤ駆動部と、ＤＭＤ表示部のミラーエレメントがオフの状態のときに、そのミラーエレメントが反射するオフ光の照射位置に設けられた光検出素子と、ＤＭＤ表示部と光検出素子との間に設けられて、オフ光を広い範囲からその光検出素子に入射させる集光手段と、光検出素子の出力と予め設定された初期値との比較演算を行って差異を補正するための補正値を算出する比較演算部と、補正値に基づいてＤＭＤ駆動部の出力を補正する補正部とを備えたことを特徴とする。
【００１０】
第２の態様では、光量が電圧制御可能に構成された光源部と、光源部の光量を制御する光源駆動部と、ＤＭＤ表示部と、ＤＭＤ表示部のミラーエレメントがオフの状態のときに、そのミラーエレメントが反射するオフ光の照射位置に設けられた光検出素子と、ＤＭＤ表示部と光検出素子との間に設けられて、オフ光を広い範囲からその光検出素子に入射させる集光手段と、光検出素子の出力と予め設定された初期値との比較演算を行って差異を補正するための補正値を算出する比較演算部と、補正値に基づいて光源駆動部の電圧を補正する補正部とを備えたことを特徴とする。
【００１１】
第３の態様では、光量が電圧制御可能に構成された光源部と、光源部の光量を制御する光源駆動部と、ＤＭＤ表示部と、入力した映像信号により、ＤＭＤ表示部を構成する複数のミラーミラーエレメントのそれぞれの角度を、反射光が投写レンズに入射するオンの状態と入射しないオフの状態とに切り替わるように駆動するＤＭＤ駆動部と、ＤＭＤ表示部のミラーエレメントがオフの状態のときに、そのミラーエレメントが反射するオフ光の照射位置に設けられた光検出素子と、ＤＭＤ表示部と光検出素子との間に設けられて、オフ光を広い範囲からその光検出素子に入射させる集光手段と、光検出素子の出力と予め設定された初期値との比較演算を行って差異を補正するための補正値を算出する比較演算部と、補正値に基づいて光源駆動部の電圧とＤＭＤ駆動部の出力とを補正する補正部とを備えたことを特徴とする。
【００１２】
集光手段が、オフ光をその光検出素子に集光するオフ光集光レンズであってもよく、ＤＭＤ表示部とオフ光集光レンズとの間に減光フィルタが設けられていてもよく、オフ光集光レンズと減光フィルタとを冷却する冷却ファンが設けられていてもよい。
【００１３】
集光手段が、オフ光を拡散させて光検出素子に入射させる拡散板であってもよく、ＤＭＤチップを複数個使用してもよい。
【００１４】
プロジェクタの光学ユニットは、光源と、反射鏡と、反射鏡からの光を複数の色に時分割するカラーホイールと、カラーホイールからの光を入射端面で受け、輝度分布を均一化した光を出射する四角柱のロッドインテグレータと、ＤＭＤ表示部と、ロッドインテグレータからの出射光をＤＭＤ表示部に集光するためのレンズと、ＤＭＤ表示部によって反射された画像を投写するための投写レンズとを有してもよい。
【００１５】
本発明のプロジェクタは、上述のプロジェクタの光学ユニットを備えたことを特徴とする。
【００１６】
光検出素子とＤＭＤ表示部との間に集光レンズが配置されたので、オフ光を広く光検出素子に集めることができ、定められた一つの位置に配置された集光レンズで光源やカラーホイールなどの光学ユニット全体の変動を検出することができる。
【００１７】
また、集光レンズの代わりに拡散板を配置することで、光検出素子に照射される光のむらを無くして平均化することができ、全体的な変動を検出することができる。
【発明の効果】
【００１８】
本発明は、ＤＭＤ表示部とＤＭＤ表示部からのオフ光が入射する位置に設けられた光検出素子との間に集光レンズを設けたことにより、オフ光を広く光検出素子に集めることができるので、光検出素子に照射される光の強度むらを低減させることができ、定められた一つの位置での光源やカラーホイールなどの光学ユニット全体の変動の検出の精度を向上させ、安定した全白の輝度補正を実現することができるという効果があり、さらに同時に、１箇所の位置にある光検出素子でＲ・Ｇ・Ｂ単色ごとに検出を行っても、各色の検出比率を一定に保つことができるので、ホワイトバランスの補正も可能となるという効果がある。
【００１９】
また、集光レンズの代わりに拡散板を配置しても、光検出素子に照射される光のむらを無くして平均化することができ、全体的な変動を検出することができるという効果がある。
【発明を実施するための最良の形態】
【００２０】
本発明のプロジェクタの光学ユニットは、ＤＭＤ表示部を備えたプロジェクタにおけるオフ光検出において、離散して分布している光束を光検出素子へ集光もしくは拡散させることによって、光検出素子に照射される光の強度むらが低減し、検出の精度が向上し、安定した全白の輝度補正が実現でき、また同時に、１箇所の位置にある光検出素子でＲ・Ｇ・Ｂ単色ごとに検出を行っても、各色の検出比率を一定に保つことができるので、ホワイトバランスの補正も可能となることを特徴とする。
【００２１】
次に、本発明の実施の形態について図面を参照して説明する。図１は本発明の第１の実施の形態のプロジェクタとプロジェクタの光学ユニットの模式的構成図である。本発明の第１の実施の形態のプロジェクタ１の光学ユニット１０は、ＤＭＤ駆動部１８と、光源駆動部１９とを制御して輝度と色調とを調整する。
【００２２】
本発明の第１の実施の形態のプロジェクタ１は、本発明の第１の実施の形態の光学ユニット１０を備える。光学ユニット１０は、発光体で構成される光源、光源が第１の焦点に配置されている楕円面反射鏡とからなる光源部１１、光源の楕円面反射鏡からの反射光を集光する集光レンズ１２、集光レンズ１２の集光点に回転するカラーセグメントが位置するように配置され、楕円面反射鏡からの光を複数の色に時分割するカラーホイール１３、カラーホイール１３からの光を入射端面で受け、輝度分布を均一化した光を出射する四角柱のロッドインテグレータ１４、複数のミラーエレメントの回転制御によって投写レンズ１７への反射角度の制御を行なうＤＭＤ（デジタルマイクロデバイス）表示部１６、ロッドインテグレータ１４からの出射光をＤＭＤ表示部１６に集光するためのレンズ１５、ＤＭＤ表示部１６によって反射されて投写レンズ１７に向かうオン光の画像を不図示のスクリーンに投写するための投写レンズ１７を有する。
【００２３】
一方、ＤＭＤ表示部１６によって反射されて投写レンズ１７以外の方向に向かうオフ光の投射方向には、光検出素子２２が設けられ、ＤＭＤ表示部１６と光検出素子２２との間には、オフ光を光検出素子２２に集約するためのオフ光集光レンズ２１が設けられている。
【００２４】
さらに、ＤＭＤ表示部１６を映像信号とカラーホイール１３の回転位置により駆動するためのＤＭＤ駆動部１８と、光源部１１の光源を駆動するための光源駆動部１９とが設けられ、光検出素子２２の出力電圧を基準の電圧と比較して補正値を演算する比較演算部２３と、比較演算部２３で演算された補正値によって、ＤＭＤ駆動部１８と光源駆動部１９との出力を補正する補正部２４とが設けられている。光検出素子２２およびオフ光集光レンズ２１は、ＤＭＤ表示部１６の照明光やオン光に干渉しない位置に配置される。
【００２５】
光源部１１の楕円面反射鏡の第２の焦点の位置にカラーホイール１３を配置できれば集光レンズ１２はなくてもよく、ロッドインテグレータ１４はミラーを４枚組み合わせたライトトンネルであってもよい。またレンズ１５は、コンデンサレンズと反射ミラーとの組み合わせであってもよく、ロッドインテグレータ１４からの出射光を効率よくＤＭＤ表示部１６の全面に所定の角度で投射できる構成であればよい。
【００２６】
集光したオフ光のエネルギーにより、光検出素子２２の表面温度が許容値を超える場合は、ＤＭＤ表示部１６とオフ光集光レンズ２１との間に鎖線で示す減光フィルタ２５を配置してもよい。また温度上昇が大きい場合には、光検出素子２２や減光フィルタ２５等を冷却する鎖線で示す冷却ファン２６をそれらの近傍に配置してもよい。図１は１チップ型のＤＭＤ表示部１６を例として説明するが、本発明のオフ光の集光手段は３チップ型ＤＭＤ表示部を備えたプロジェクタにおいても有効である。
【００２７】
次に、本発明の第１の実施の形態のプロジェクタ１の光学ユニット１０の動作について説明する。光源駆動部１９で輝度の制御された光源部１１からの光束は、集光レンズ１２・カラーホイール１３・ロッドインテグレータ１４・レンズ１５を介して、一旦ＤＭＤ表示部１６の表面の画像形成領域に収束され、ＤＭＤ表示部１６の画像形成領域のミラーエレメントから反射されたオン光は投写レンズ１７に向かうが、画像形成に関係のないオフ光として反射された光束は再び離散し始める。
【００２８】
従来は、この光束をそのまま光検出素子２２で検出して輝度やホワイトバランスを調整していたが、本発明の光学ユニット１０では、この状態でこれらの光束をオフ光集光レンズ２１で集め、光検出素子２２がオフ光全体を取り込めるようにする。
【００２９】
光検出素子２２で検出した値を、比較演算部２３にて、予め設定された初期値に対して比較演算を行い、一定量の変動が確認された場合、補正部２４によって補正を実行する。第１の実施の形態では光源部１１を駆動する光源駆動部１９とＤＭＤ表示部１６を駆動するＤＭＤ駆動部１８の両方の補正ができる構成となっている。具体的には光源駆動部１９の電圧を制御して光源部１１から出力する輝度の大まかな制御を行い、細かい制御をＤＭＤ駆動部１８で行う。
【００３０】
ＤＭＤ駆動部１８と光源駆動部１９との両方で制御を行うことが望ましいが、応用例として、ＤＭＤ駆動部１８と光源駆動部１９とのいずれかのみを備えた構成であっても輝度の制御を自動的に行うことができる。しかしホワイトバランスの制御を行う場合にはＤＭＤ駆動部１８の制御を行うことが必要である。
【００３１】
次に、制御の内容を具体的に説明する。図２は光検出素子における３原色の光検出値を時系列で示すグラフであり、（ａ）はカラーホイールの回転パルス、（ｂ）は光検出値の初期値、（ｃ）は経時変化後の光検出値、（ｄ）は補正後の光検出値である。ここで、横軸は時間、縦軸は光の強さを示す。
【００３２】
カラーホイール１３において、光をＲ、Ｇ、Ｂの３色に時分割するようにカラーセグメントが配置されている場合、図２（ａ）のカラーホイール１回転のパルスの間にＲ、Ｇ、Ｂの３色が時系列的に投射される。先ず、画面表示が全黒となるように、ＤＭＤ駆動部１８に入力する映像信号を制御してＤＭＤ表示部１７を制御すると、図２（ｂ）の光検出値（初期値）の波形が、カラーホイール３の回転パルスの間の回転周期で光検出素子２２から出力される。この波形における各Ｒ・Ｇ・Ｂが光っている時間、ｔｒ１・ｔｇ１・ｔｂ１、および各Ｒ・Ｇ・Ｂの光の強さ、Ｌｒ１・Ｌｇ１・Ｌｂ１を、基準値として比較演算部２３に予め記憶しておく。
【００３３】
光源部１１の経時変化により出力光の輝度が下がると、光検出素子２２からの出力波形の振幅が下がり、図２（ｃ）の光検出値（経時変化後）の波形のようにＬｒ１・Ｌｇ１・Ｌｂ１から一定量変動したＬｒ２・Ｌｇ２・Ｌｂ２が検出される。Ｌｒ２・Ｌｇ２・Ｌｂ２が検出された場合、補正部２４により光源駆動部１９の出力を上げ、Ｌｒ１・Ｌｇ１・Ｌｂ１となるように、フィードバックループ制御を行う。
【００３４】
またＬｒ１：Ｌｇ１：Ｌｂ１の比率から一定量変動したＬｒ２：Ｌｇ２：Ｌｂ２の比率が検出された場合、補正部２４によりＤＭＤ駆動部１８の各Ｒ・Ｇ・Ｂ駆動比率を変更する。
【００３５】
この際、例えばＲ・Ｇ・Ｂ共明るくなるようＤＭＤ駆動部１８を制御すると、図２（ｄ）の光検出値（補正後）の波形の通り、ｔｒ１・ｔｇ１・ｔｂ1の時間が長くなってｔｒ２・ｔｇ２・ｔｂ２となる。
【００３６】
従って各Ｒ・Ｇ・Ｂの明るさを積分した値、各々の基準値ｔｒ１×Ｌｒ１・ｔｇ１×Ｌｇ１・ｔｂ１×Ｌｂ１のそれぞれに、ｔｒ２×Ｌｒ２・ｔｇ２×Ｌｇ２・ｔｂ２×Ｌｂ２が同じ値になるよう、フィードバックループ制御する。
【００３７】
ＤＭＤはオン・オフ時間の比率で白から黒への階調を表現している。加えて、より自然な画に見えるよう、１秒間に数千回オン・オフを繰り返し、そのトータルのオンしている時間とオフしている時間の比率で明るさ／階調を再現している。よって、ｔｒ・ｔｇ・ｔｂ期間中、実際ＤＭＤ表示部１６はオン・オフを繰り返すので、それぞれのｔｒ・ｔｇ・ｔｂは、それぞれＬｒ・Ｌｇ・Ｌｂまで達している時間の総和とする。
【００３８】
光検出素子２２の応答がＤＭＤ表示部１７のオン・オフのスピードに追いつかない場合は、カラーホイール１３が１回転する期間をそれぞれＲ・Ｇ・Ｂに３分割し、各期間中の波形を平滑した値を検出値とする。もしくは各期間中の波形を一定周期でサンプリングし、それぞれのＬｒ・Ｌｇ・Ｌｂの総和から平均値を算出しこれを検出値とする。
【００３９】
この際のサンプリング周波数は、サンプリング定理により、ＤＭＤ表示部１６がオン・オフする周波数の倍以上とするのが望ましい。
【００４０】
またホワイトバランス補正の為に検出精度をさらに上げるために、例えばＲを検出する際は、画面表示をシアンとすることで、オフ光をＲのみにするというような手順にすることもできる。
【００４１】
次に説明する第２の実施の形態のように、オフ光集光レンズ２１の代わりに、拡散透過板３１を用いることで、光検出素子２２に照射される光を平均化させる場合においても、比較演算部２３以降における補正方法は同じである。
【００４２】
次に、本発明の第２の実施の形態について図面を参照して説明する。図３は本発明の第２の実施の形態のプロジェクタとプロジェクタの光学ユニットの模式的構成図である。第２の実施の形態では、第１の実施の形態のオフ光集光レンズ２１を拡散透過板３１に変更した以外は第１の実施の形態と同じなので、同じ構成には同じ符号を付して構成と動作の詳細な説明は省略する。
【００４３】
第１の実施の形態では、DMD表示部１６と光検出素子２２との間にオフ光集光レンズ２１を設けてDMD表示部１６からのオフ光を光検出素子２２に集光していたが、第２の実施の形態ではDMD表示部１６と光検出素子２２との間に拡散透過板３１を設けて光検出素子２２に照射される光を平均化させる。拡散透過板３１は、例えばすりガラスのような拡散透過性を有する拡散透過板である。拡散透過板３１を用いても光検出素子２２に照射される光を平均化させることができ、第１の実施の形態と同様の作用効果が得られる。
【図面の簡単な説明】
【００４４】
【図１】本発明の第１の実施の形態のプロジェクタとプロジェクタの光学ユニットの模式的構成図である。
【図２】光検出素子における３原色の光検出値を時系列で示すグラフであり、（ａ）はカラーホイールの回転パルス、（ｂ）は光検出値の初期値、（ｃ）は経時変化後の光検出値、（ｄ）は補正後の光検出値である。
【図３】本発明の第２の実施の形態のプロジェクタとプロジェクタの光学ユニットの模式的構成図である。
【符号の説明】
【００４５】
１    プロジェクタ
１０    光学ユニット
１１    光源部
１２    集光レンズ
１３    カラーホイール
１４    ロッドインテグレータ
１５    レンズ
１６    ＤＭＤ表示部
１７    投写レンズ
１８    ＤＭＤ駆動部
１９    光源駆動部
２１    オフ光集光レンズ
２２    光検出素子
２３    比較演算部
２４    補正部
２５    減光フィルタ
２６    冷却ファン
３１    拡散透過板
【図１】
2007298798.tif 000003
【図２】
2007298798.tif 000004
【図３】
2007298798.tif 000005